(57)【要約】本発明の一実施例による通知メッセージを用いた端末制御装置は、パケット基盤メッセージを通じてユーザ端末に受信された通知メッセージの出力要請を検知する検知部と、 前記検知部から伝達された前記通知メッセージの出力要請に既設定された文字列が含まれるか否かを判断する分析部と、前記判断結果に基づいて前記ユーザ端末が既設定された動作を行うように制御する制御部と、を含み、前記ユーザ端末は、前記通知メッセージの出力要請を受信する場合、前記通知メッセージの出力要請に基づく通知メッセージを出力するように設定されることができる。  【選択図】図１
2019506783.tif 000002
【特許請求の範囲】
【請求項１】
パケット基盤メッセージを通じてユーザ端末に受信された通知メッセージの出力要請を検知する検知部と、
前記検知部から伝達された前記通知メッセージの出力要請に既設定された文字列が含まれるか否かを判断する分析部と、
前記判断結果に基づいて前記ユーザ端末が既設定された動作を行うように制御する制御部と、を含み、
前記ユーザ端末は、前記通知メッセージの出力要請を受信する場合、前記通知メッセージの出力要請に基づく通知メッセージを出力するように設定されたことを特徴とする通知メッセージを用いた端末制御装置。
【請求項２】
前記分析部は、正規表現を用いて前記通知メッセージの出力要請から既設定された文字列を抽出し、前記抽出された文字列を前記制御部に伝達することを特徴とする請求項１に記載の通知メッセージを用いた端末制御装置。
【請求項３】
前記制御部は、前記通知メッセージの出力要請に前記既設定された文字列が含まれる場合、前記ユーザ端末がロック状態になるように制御することを特徴とする請求項１に記載の通知メッセージを用いた端末制御装置。
【請求項４】
前記制御部は、前記通知メッセージの出力要請に前記既設定された文字列と共に含まれているパスワードが既設定された方法を通じて前記ユーザ端末に入力される場合、前記ロック状態が解除されるように制御することを特徴とする請求項３に記載の通知メッセージを用いた端末制御装置。
【請求項５】
前記制御部は、前記ユーザ端末が前記通知メッセージを出力する際に、前記パスワードは前記通知メッセージを通じて出力されないように制御することを特徴とする請求項４に記載の通知メッセージを用いた端末制御装置。
【請求項６】
前記制御部は、前記ユーザ端末が、前記通知メッセージの出力要請に前記既設定された文字列と共に含まれている連絡先に、前記ロック状態になったことを通知するように制御することを特徴とする請求項３に記載の通知メッセージを用いた端末制御装置。
【請求項７】
前記制御部は、前記通知メッセージの出力要請が前記既設定された文字列に属する文字列を既設定された個数以上含む場合、前記ユーザ端末が前記通知メッセージを出力しないように制御することを特徴とする請求項１に記載の通知メッセージを用いた端末制御装置。
【請求項８】
前記制御部は、前記分析部によって前記通知メッセージの出力要請にＵＲＬ（ｕｎｉｆｏｒｍ  ｒｅｓｏｕｒｃｅ  ｌｏｃａｔｏｒ）情報が含まれると判断された場合、前記ユーザ端末が前記ＵＲＬの悪性要否を検査して前記検査結果を出力するように制御することを特徴とする請求項１に記載の通知メッセージを用いた端末制御装置。
【請求項９】
前記制御部は、前記通知メッセージの出力要請に前記既設定された文字列が含まれる場合、前記ユーザ端末が前記通知メッセージを出力する状態を保持し続けるように制御することを特徴とする請求項１に記載の通知メッセージを用いた端末制御装置。
【請求項１０】
パケット基盤メッセージを通じてユーザ端末に受信された通知メッセージの出力要請を検知するステップと、
前記通知メッセージの出力要請に既設定された文字列が含まれるか否かを判断するステップと、
前記判断結果に基づいて前記ユーザ端末が既設定された動作を行うように制御するステップと、を含み、
前記ユーザ端末は、前記通知メッセージの出力要請を受信する場合、前記通知メッセージの出力要請に基づく通知メッセージを出力するように設定されたことを特徴とする通知メッセージを用いた端末制御方法。
【請求項１１】
前記判断するステップは、正規表現を用いて前記通知メッセージの出力要請から前記既設定された文字列を抽出するステップを含むことを特徴とする請求項１０に記載の通知メッセージを用いた端末制御方法。
【請求項１２】
前記制御するステップは、前記通知メッセージの出力要請に前記既設定された文字列が含まれる場合、前記ユーザ端末がロック状態になるように制御するステップを含むことを特徴とする請求項１０に記載の通知メッセージを用いた端末制御方法。
【請求項１３】
前記制御するステップは、前記通知メッセージの出力要請に前記既設定された文字列と共に含まれているパスワードが既設定された方法を通じて前記ユーザ端末に入力される場合、前記ロック状態が解除されるように制御するステップを含むことを特徴とする請求項１２に記載の通知メッセージを用いた端末制御方法。
【請求項１４】
前記制御するステップは、
前記ユーザ端末が前記通知メッセージを出力する際に、前記パスワードは前記通知メッセージを通じて出力されないように制御するステップを含むことを特徴とする請求項１３に記載の通知メッセージを用いた端末制御方法。
【請求項１５】
前記制御するステップは、
前記ユーザ端末が、前記通知メッセージの出力要請に前記既設定された文字列と共に含まれている連絡先に、前記ロック状態になったことを通知するように制御するステップを含むことを特徴とする請求項１２に記載の通知メッセージを用いた端末制御方法。
【請求項１６】
前記制御するステップは、
前記通知メッセージの出力要請に前記既設定された文字列に属する文字列が既設定された個数以上含まれる場合、前記ユーザ端末が前記通知メッセージを出力しないように制御することを特徴とする請求項１０に記載の通知メッセージを用いた端末制御方法。
【請求項１７】
前記制御するステップは、
前記判断するステップによって前記通知メッセージの出力要請にＵＲＬ（ｕｎｉｆｏｒｍ  ｒｅｓｏｕｒｃｅ  ｌｏｃａｔｏｒ）情報が含まれると判断された場合、前記ユーザ端末が前記ＵＲＬの悪性要否を検査して前記検査結果を出力するように制御するステップを含むことを特徴とする請求項１０に記載の通知メッセージを用いた端末制御方法。
【請求項１８】
前記制御するステップは、
前記通知メッセージの出力要請に前記既設定された文字列が含まれる場合、前記ユーザ端末が前記通知メッセージを出力する状態を保持し続けるように制御するステップを含むことを特徴とする請求項１０に記載の通知メッセージを用いた端末制御方法。
【請求項１９】
請求項１０乃至請求項１８の何れか一項に記載された方法によるそれぞれのステップを遂行する、コンピュータ読み取り可能な記録媒体に格納されたアプリケーション・プログラム。
【請求項２０】
請求項１０乃至請求項１８の何れか一項に記載された方法によるそれぞれのステップを遂行するコマンドを含むプログラムが記録されたコンピュータ読み取り可能な記録媒体。
【発明の詳細な説明】
【技術分野】
【０００１】
本発明は、ユーザ端末に出力される通知メッセージを用いた端末制御装置及び方法に関するもので、より詳しくは、ユーザ端末に一定の通知メッセージを出力させるための通知メッセージの出力要請を分析し、分析の結果に基づいてユーザ端末が一定の動作を行うように制御する装置及び方法に関する。
【背景技術】
【０００２】
情報通信技術の発展につれて電子機器の種類は様々になっている。特に、最近は電子機器の中でスマートフォン（ｓｍａｒｔｐｈｏｎｅ）又はタブレットパソコン（ｔａｂｌｅｔ  ｃｏｍｐｕｔｅｒ）等のように、モバイルオペレーティングシステム（ｍｏｂｉｌｅ  ｏｐｅｒａｔｉｎｇ  ｓｙｓｔｅｍ（ＯＳ））が搭載された携帯用電子機器が広く普及している。このようなモバイルオペレーティングシステムの例としては、アンドロイド（ａｎｄｒｏｉｄ）、アイ・オーエス（ｉ−ＯＳ）又はウィンドウモバイル（ｗｉｎｄｏｗｓ  ｍｏｂｉｌｅ）等が挙げられる。
【０００３】
アンドロイドを含む殆どのモバイルオペレーティングシステムは、プログラム通知（ｐｒｏｇｒａｍ  ｎｏｔｉｆｉｃａｔｉｏｎ、以下、「通知」と呼ぶ）機能を提供する。これは、特定のアプリケーション・プログラム（以下、「アプリケーション」と呼ぶ）が当該アプリケーションが実行しているか否かとは関係なく、所定の情報をユーザに伝達できるようにするためである。より詳しく説明すると、特定のアプリケーションでユーザに通知しようとする所定のイベント（例えば、不在着信、ソフトウェアアップデート等）が発生した場合、当該アプリケーションが実行されていなくても、通知機能を用いて当該イベントの発生事実を通知メッセージによってユーザに通知することができる。
【０００４】
このような通知機能を具現するために、モバイルオペレーティングシステム、例えば、アンドロイドの場合、通知管理者（ｎｏｒｉｆｉｃａｔｉｏｎ  ｍａｎａｇｅｒ）を備えている。通知管理者はアプリケーションのそれぞれから通知要請を受信すると、当該要請と共に受信されたデータから通知情報を抽出する。そして、通知管理者は抽出された通知情報を要請の手順に応じてアンドロイド状態通知バッファー（ａｎｄｒｏｉｄ  ｓｔａｔｕｓ  ｎｏｔｉｆｉｃａｔｉｏｎ  ｂｕｆｆｅｒ）に格納し、格納された通知情報は通知メッセージとしてユーザ端末のディスプレイに出力される。
【０００５】
このような通知機能は、アプリケーションが実行されているか否かとは関係なく、ユーザに必要なメッセージを伝達することで、ユーザの便宜に資することができる。しかし、ユーザ端末に通知メッセージを出力させることは、様々なアプリケーションによって遠隔地でも非常に容易く行われ得るにも拘らず、通知メッセージを用いて通知メッセージを出力すること以外の動作をユーザ端末に行わせるように制御する機能については、その開発があまり進められていない状況である。
【発明の概要】
【発明が解決しようとする課題】
【０００６】
本発明が解決しようとする課題は、ユーザ端末に通知メッセージを出力するための通知メッセージの出力要請をユーザ端末の様々な動作を制御するのに用いることで、ユーザの便宜に資することである。
【０００７】
但し、本発明が解決しようとする課題は、上記で説明したものに制限されず、言及されていないまた他の解決しようとする課題は、下記の記載から本発明が属する分野の通常の知識を有する者であれば、明確に理解することができるだろう。
【課題を解決するための手段】
【０００８】
本発明の一実施例による通知メッセージを用いた端末制御装置は、パケット基盤メッセージを通じてユーザ端末に受信された通知メッセージの出力要請を検知する検知部と、前記検知部から伝達された前記通知メッセージの出力要請に既設定された文字列が含まれるか否かを判断する分析部と、前記判断結果に基づいて前記ユーザ端末が既設定された動作を行うように制御する制御部と、を含み、前記ユーザ端末は、前記通知メッセージの出力要請を受信する場合、前記通知メッセージの出力要請に基づく通知メッセージを出力するように設定されることができる。
【０００９】
また、前記分析部は、正規表現を用いて前記通知メッセージの出力要請から既設定された文字列を抽出し、前記抽出された文字列を前記制御部に伝達することができる。
【００１０】
また、前記制御部は、前記通知メッセージの出力要請に前記既設定された文字列が含まれる場合、前記ユーザ端末がロック状態になるように制御することができる。
【００１１】
また、前記制御部は、前記通知メッセージの出力要請に前記既設定された文字列と共に含まれているパスワードが既設定された方法を通じて前記ユーザ端末に入力される場合、前記ロック状態が解除されるように制御することができる。
【００１２】
また、前記制御部は、前記ユーザ端末が前記通知メッセージを出力する際に、前記パスワードは前記通知メッセージを通じて出力されないように制御することができる。
【００１３】
また、前記制御部は、前記ユーザ端末が、前記通知メッセージの出力要請に前記既設定された文字列と共に含まれている連絡先に、前記ロック状態になったことを通知するように制御することができる。
【００１４】
また、前記制御部は、前記通知メッセージの出力要請に前記既設定された文字列に属する文字列が既設定された個数以上含まれる場合、前記ユーザ端末が前記通知メッセージを出力しないように制御することができる。
【００１５】
また、前記制御部は、前記分析部によって前記通知メッセージの出力要請にＵＲＬ（ｕｎｉｆｏｒｍ  ｒｅｓｏｕｒｃｅ  ｌｏｃａｔｏｒ）情報が含まれると判断された場合、前記ユーザ端末が前記ＵＲＬの悪性要否を検査して前記検査結果を出力するように制御することができる。
【００１６】
また、前記制御部は、前記通知メッセージの出力要請に前記既設定された文字列が含まれる場合、前記ユーザ端末が前記通知メッセージを出力する状態を保持し続けるように制御することができる。
【００１７】
本発明の一実施例による通知メッセージを用いた端末制御方法は、パケット基盤メッセージを通じてユーザ端末に受信された通知メッセージの出力要請を検知するステップと、前記通知メッセージの出力要請に既設定された文字列が含まれるか否かを判断するステップと、前記判断結果に基づいて前記ユーザ端末が既設定された動作を行うように制御するステップと、を含み、前記ユーザ端末は、前記通知メッセージの出力要請を受信する場合、前記通知メッセージの出力要請に基づく通知メッセージを出力するように設定されることができる。
【００１８】
また、前記判断するステップは、正規表現を用いて前記通知メッセージの出力要請から前記既設定された文字列を抽出するステップを含むことができる。
【００１９】
また、前記制御するステップは、前記通知メッセージの出力要請に前記既設定された文字列が含まれる場合、前記ユーザ端末がロック状態になるように制御するステップを含むことができる。
【００２０】
また、前記制御するステップは、前記通知メッセージの出力要請に前記既設定された文字列と共に含まれているパスワードが既設定された方法を通じて前記ユーザ端末に入力される場合、前記ロック状態が解除されるように制御するステップを含むことができる。
【００２１】
また、前記制御するステップは、前記ユーザ端末が前記通知メッセージを出力する際に、前記パスワードは前記通知メッセージを通じて出力されないように制御するステップを含むことができる。
【００２２】
また、前記制御するステップは、前記ユーザ端末が、前記通知メッセージの出力要請に前記既設定された文字列と共に含まれている連絡先に、前記ロック状態になったことを通知するように制御するステップを含むことができる。
【００２３】
また、前記制御するステップは、前記通知メッセージの出力要請に前記既設定された文字列に属する文字列が既設定された個数以上含まれる場合、前記ユーザ端末が前記通知メッセージを出力しないように制御するステップを含むことができる。
【００２４】
また、前記制御するステップは、前記判断するステップによって前記通知メッセージの出力要請にＵＲＬ（ｕｎｉｆｏｒｍ  ｒｅｓｏｕｒｃｅ  ｌｏｃａｔｏｒ）情報が含まれると判断された場合、前記ユーザ端末が前記ＵＲＬの悪性要否を検査して前記検査結果を出力するように制御するステップを含むことができる。
【００２５】
また、前記制御するステップは、前記通知メッセージの出力要請に前記既設定された文字列が含まれる場合、前記ユーザ端末が前記通知メッセージを出力する状態を保持し続けるように制御するステップを含むことができる。
【発明の効果】
【００２６】
本発明の一実施例によると、ユーザ端末に通知メッセージを出力するための通知出力要請を分析し、前記分析に基づいてユーザ端末の動作を制御することができる。これにより、通知メッセージを発生させるどんなアプリケーションであっても、遠隔地で端末を容易く制御することができ、特に、メッセージの内容に応じて通知メッセージの出力様相を決定する機能によってユーザの情報を保護し端末使用にあたっての便宜を図ることができる。
【図面の簡単な説明】
【００２７】
【図１】図１は、本発明の一実施例による通知メッセージを用いた端末制御装置の構成を示す図である。
【００２８】
【図２Ａ】図２Ａは、従来の紛失機器制御機能と、本発明の一実施例による通知メッセージを用いた端末制御装置の紛失機器制御機能とをそれぞれ説明するための図である。
【図２Ｂ】図２Ｂは、従来の紛失機器制御機能と、本発明の一実施例による通知メッセージを用いた端末制御装置の紛失機器制御機能とをそれぞれ説明するための図である。
【００２９】
【図３】図３は、本発明の一実施例による通知メッセージを用いた端末制御装置の通知メッセージ検査機能を説明するための図である。
【００３０】
【図４】図４は、本発明の一実施例による通知メッセージを用いた端末制御装置のＵＲＬ検査機能を説明するための図である。
【００３１】
【図５】図５は、本発明の一実施例による通知メッセージを用いた端末制御方法のそれぞれのステップを説明するための図である。
【発明を実施するための形態】
【００３２】
本発明の利点及び特徴、そして、それらを達成する方法は、添付の図面と共に詳細に後述されている実施例を参照すれば、明確になるだろう。しかし、本発明は、以下において開示される実施例に限定されるものではなく、互いに異なる様々な形態で具現されることができる。単に、本実施例は、本発明の開示が完全なものとなるようにし、本発明の属する技術の分野における通常の知識を有する者に発明の範疇を完全に知らせるために提供されるものであり、本発明は、請求項の範疇により定義されるだけである。
【００３３】
本発明の実施例を説明するにあたり、公知の機能及び構成についての具体的な説明が本発明の要旨を不明確にすると判断される場合には、その詳細な説明を省略する。そして、後述する用語は、本発明の実施例での機能を考慮して定義された用語であって、これは、使用者、運用者の意図または慣例などによって変わることがある。それゆえ、その定義は、本明細書の全般にわたった技術思想に基づいて判断されるべきである。
【００３４】
図１は、本発明の一実施例による通知メッセージを用いた端末制御装置の構成を示す図である。図１の端末制御装置１００は、検知部１１０、分析部１２０と、制御部１３０とを含むことができる。但し、このような図１の端末制御装置１００は本発明の一実施例に過ぎないため、図１によって本発明の思想が限定解釈されるものではない。端末制御装置１００は、端末制御装置１００の制御の対象となるユーザ端末１０と別個に存在することもできるが、好ましくは、ユーザ端末１０の一部としてユーザ端末１０内に具現されることもできる。以下においては、便宜上、端末制御装置１００がユーザ端末１０内に具現されることを前提に説明する。
【００３５】
本実施例のユーザ端末１０はモバイルオペレーティングシステムが設置されている、大衆化された携帯用電子機器であって、例えば、スマートフォンが挙げられる。以下においては、ユーザ端末１０のモバイルオペレーティングシステムをアンドロイドに想定して説明するが、これは説明の便宜のためであって、本発明の思想を限定するためではない。
【００３６】
ユーザ端末１０は通知メッセージの出力要請を受信し、通知メッセージの出力要請に基づいて通知メッセージを出力するように設定されることができる。通知メッセージはユーザに一定の内容を知らせるために、ユーザ端末１０のディスプレイを通じて出力されるメッセージであって、特定のアプリケーションが当該アプリケーションが実行しているか否かとは関係なく、所定の情報をユーザに伝達するためであることは、上述の通りである。通知メッセージの出力要請は、一般的に、ユーザ端末１０の外部からパケット基盤メッセージを通じて受信され得るが、ユーザ端末１０内で発生することもできる。
【００３７】
検知部１１０は、ユーザ端末１０に受信された通知メッセージの出力要請を検知することができる。アンドロイドの通知システム（ｎｏｔｉｆｉｃａｔｉｏｎ  ｓｙｓｔｅｍ）にアンドロイドのコンポネントの１つである「ＢｒｏａｄｃａｓｔＲｅｃｅｉｖｅｒ」を登録する場合、検知部１１０が通知メッセージの出力要請を 受け、通知メッセージの出力要請の内容を分析部１２０に伝達することができる。
【００３８】
分析部１２０は、検知部１１０から伝達された通知メッセージの出力要請を分析し、通知メッセージの出力要請に既設定された文字列が含まれているか否かを判断することができる。通知メッセージの出力要請は、ユーザ端末１０が出力する通知メッセージの内容を含むことができ、具体的には、メッセージのタイトル、メッセージの本文、メッセージと共に出力されるアイコン等を含むことができる。
【００３９】
制御部１３０は分析部１２０の判断結果に基づき、ユーザ端末１０が既設定された動作を行うように制御することができる。ユーザ端末１０によって行われる既設定された動作の詳細な例については、後述する。当該制御部１３０と、前記検知部１１０と、分析部１２０とを含む端末制御装置１００は、一般的なマイクロプロセッサ（ｍｉｃｒｏｐｒｏｃｅｓｓｏｒ）と言った演算装置によって具現されることができる。
【００４０】
以下においては、図１を参照して本発明の一実施例による端末制御装置１００の動作について、詳細に説明する。
【００４１】
先ず、ユーザ端末１０は外部からの通知メッセージの出力要請を受信することができる。かかる通知メッセージの出力要請は、ネットワークを介してユーザ端末１０と接続された他のユーザ端末、或いはサーバ（ｓｅｒｖｅｒ）等のコンピュータから送信されることができる。前記ネットワークは有線又は無線ネットワークであり得、無線ネットワークで接続される場合、前記としては好ましくは、Ｗｉ−Ｆｉ、３Ｇ、４Ｇ、ＬＴＥ（登録商標）（ｌｏｎｇ−ｔｅｒｍ  ｅｖｏｌｕｔｉｏｎ）等の無線ネットワークが利用されることができる。このような通知メッセージの出力要請は、通知メッセージを出力できる様々なアプリケーションを用いて送信されることができ、当該アプリケーションは、カカオトーク(Ｋａｋａｏｔａｌｋ)、ライン(Ｌｉｎｅ)等のオンラインインスタントメッセンジャー(ｏｎｌｉｎｅ ｉｎｓｔａｎｔ ｍｅｓｓｅｎｇｅｒ)又はフェイスブック（登録商標）、ツイッター（登録商標）等のソーシャルネットワーキングサービス（ｓｏｃｉａｌ  ｎｅｔｗｏｒｋ  ｓｅｒｖｉｃｅ、ＳＮＳ）のアプリケーション等であり得る。
【００４２】
ユーザ端末１０に送信された通知メッセージの出力要請は、端末制御装置１００の検知部１１０によって検知され、その内容が分析部１２０に伝達されることができる。分析部１２０は、通知メッセージの出力要請の内容を分析し、当該内容の中に既設定された文字列が存在するか否かを判断することができる。このような分析部１２０の判断過程は、正規表現を用いて成されることができ、正規表現を用いた判断の過程は当業者にとって自明であるため、それ以上の詳細な説明は、省略する。
【００４３】
分析部１２０によってなされた前記判断結果に基づき、制御部１３０はユーザ端末１０が特定の動作を行うように制御することができる。これまで説明した過程により、ユーザ端末１０のユーザは、通知メッセージを出力することのできる様々なアプリケーションの中で１つを通じて、他のユーザ端末又はサーバ等からのユーザ端末１０に既設定された文字列を含む通知メッセージの出力要請を送信することで、ユーザ端末１０を遠隔地で容易く制御することができる。例えば、ユーザ端末１０のユーザは知り合いのユーザ端末を通じて自分のユーザ端末１０に特定の文字列を含むカカオトークメッセージを送信することで、ユーザ端末１０が前記文字列に対応する動作を行うように制御することができる。他の例として、ユーザは遠隔地で知り合いのアカウントを通じて、特定の文字列を含むフェイスブックメッセージをユーザ自分のアカウントに残すことで、自分のユーザ端末１０に前記文字列が含まれた通知メッセージが出力されるようにすることができ、これにより、ユーザ端末１０が前記文字列に対応する動作を行うように制御することができる。
【００４４】
このように、本発明の一実施例によれば、ユーザは通知メッセージを出力する機能を有する任意のアプリケーションを通じて容易く自分のユーザ端末１０を遠隔地で制御することができる。但し、ユーザの連絡先が露出される場合、ユーザ端末１０がユーザの意思とは関係なく、遠隔地の他人によって制御されることもできるため、保安のために、前記既設定された文字列を他人が容易に推測できない文字列に設定又は変更することができる。或いは、前記既設定された文字列と共に、特定のパスワードが通知メッセージの出力要請に含まれた場合にのみユーザ端末１０が前記既設定された文字列に対応する動作を行うように設定することもできる。
【００４５】
以下においては、制御部１３０の制御によってユーザ端末１０が行うことのできる機能について、実施例を参照して詳細に説明する。一例として、制御部１３０は、通知メッセージの出力要請に既設定された文字列が含まれた場合、ユーザ端末１０がロック状態になるように制御する紛失機器制御機能を遂行することができる。
【００４６】
スマートフォン等の携帯用電気機器には、ユーザの個人情報又は個人的な用途のデータが格納されていることがある。従って、携帯用電子機器を紛失したユーザは、拾得者による情報漏洩を防止するために、紛失した機器をロック状態に設定することを希望することもある。
【００４７】
図２ａは従来の紛失機器制御機能を説明するための図である。図２ａを参照すれば、ＳＭＳ(ｓｈｏｒｔ ｍｅｓｓａｇｅ ｓｅｒｖｉｃｅ)を用いて紛失機器をロック状態に設定しようとする場合、特定のメッセージ及びパスワードをＳＭＳで紛失機器に送信することで、紛失機器に対するロック状態への設定が可能であることが分かる。しかし、ＳＭＳを通じた方法の場合、図２ａに示すように、ロック状態を解除するためのパスワードが露出され易く、優先順位によりＳＭＳの受信が排除される問題もある。
【００４８】
他の従来技術による紛失機器制御方法としては、ＧＣＭ（ｇｏｏｇｌｅ  ｃｌｏｕｄ  ｍｅｓｓａｇｉｎｇ）を通じたアンドロイドプッシュ通知を用いる方法等が挙げられる。しかし、ＧＣＭを通じた方法も、インフラ構築コストがかさむという問題がある。このような従来技術の問題を解決するために、本発明の一実施例による紛失機器制御機能が用いられることができる。
【００４９】
前記紛失機器制御機能によれば、制御部１３０は、分析部１２０が通知メッセージの出力要請に既設定された文字列が含まれていると判断する場合、ユーザ端末１０がロック状態になるように制御することができる。また、制御部１３０は通知メッセージの出力要請に既設定された文字列と共に含まれているパスワードが既設定された方法を通じてユーザ端末１０に入力される場合、ロック状態が解除されるように制御することができる。そして、制御部１３０は通知メッセージの出力要請に既設定された文字列と共に、連絡先情報が含まれている場合、ユーザ端末１０が当該連絡先にロック状態設定されたことを通知するように制御することができる。
【００５０】
図２ｂは本発明の一実施例による通知メッセージを用いた端末制御装置の分失機器制御機能を説明するための図である。図２ｂを参照して説明すれば、ユーザ端末１０を紛失したユーザは通知メッセージの出力が可能なアプリケーション（図２ｂの例示によると、カカオトーク）を通じて、他人の端末１１から紛失した自分のユーザ端末１０に既設定された文字列、パスワード及び返信のための連絡先を含むパケット基盤テキストメッセージを送信することができる。図２ｂを参照して説明すれば、メッセージ入力欄の「＃ｌｏｃｋ」という文字列がロック状態への設定のための既設定された文字列、１２３４という数字がロック状態の解除のためのパスワード、０１０−００００−００００という電話番号が返信のための連絡先にそれぞれ該当する。このように、入力されたメッセージ、つまり、通知メッセージの出力要請がユーザ端末１０に送信されると、「＃ｌｏｃｋ」という文字列によってユーザ端末１０がロック状態になることができ、ユーザ端末１０は、ロック状態になったことを０１０-００００-００００という連絡先に通知することもできる。そして、ロック状態の解除は、前記送信された１２３４というパスワードをユーザ端末１０に入力することで可能になり、このような入力は、例えば、タッチスクリーン（ｔｏｕｃｈ  ｓｃｒｅｅｎ）機能によってユーザ端末１０のディスプレイに出力されるキーパッドで１、２、３、４に該当する領域を順に押すことで行われることができる。ユーザ端末１０はロック状態の解除時にも、ロック状態が解除されたことを前記連絡先に通知することができる。
【００５１】
このとき、ユーザ端末１０のディスプレイに出力される通知メッセージを通じて前記パスワードが露出される場合、ロック状態への設定の目的を達成することができなくなる。従って、制御部１３０は、ユーザ端末１０が通知メッセージを出力する際に、パスワードを除いた部分のみ出力するように制御することができ、或いは、通知メッセージの出力そのものが行われないように制御することもできる。これにより、図２ｂに示すように、通知メッセージの出力による露出を防ぐことができる。
【００５２】
前述したような本発明の一実施例による紛失機器制御機能を通じて、紛失されたユーザ端末１０のユーザは、通知メッセージを出力する機能を有するアプリケーションであれば、該当アプリケーションを通じて容易く自分のユーザ端末１０をロック状態に設定することで、個人的な情報の漏洩を防止することができる。また、本発明の一実施例による紛失機器制御機能は、パスワードの露出を防止するための機能を提供するので、紛失されたユーザ端末１０のロック状態への設定において、更に高いレベルの保安を達成することができる。
【００５３】
以下においては、制御部１３０の制御によってユーザ端末１０が遂行できる他の機能に関する実施例について詳細に説明する。具体的に説明すれば、制御部１３０は、通知メッセージの出力要請に既設定された文字列が含まれた場合、ユーザ端末１０が通知メッセージを出力しないように制御するために、通知メッセージの検査機能を遂行することができる。また、分析部１２０によって通知メッセージの出力要請にＵＲＬ（ｕｎｉｆｏｒｍ  ｒｅｓｏｕｒｃｅ  ｌｏｃａｔｏｒ）情報が含まれていると判断された場合、制御部１３０はユーザ端末１０が前記ＵＲＬの悪性要否を検査して、その結果を出力するように制御するＵＲＬ検査機能を遂行することができる。
【００５４】
最近、モバイルオペレーティングシステムの通知メッセージを通じて無分別な広告又は通知を行う場合が多くなっている。これにより、モバイルオペレーティングシステムが設置された携帯用電子機器のユーザは、このような不要な通知メッセージをいちいち削除する面倒な行為をするべき状況もある。また、数多くの不要な通知メッセージのため、重要な通知メッセージを見逃す場合もあり得る。以下の内容において、詳細に説明する本実施例は、このような問題に対する解決方案を提供することができる。
【００５５】
図３は本発明の一実施例による通知メッセージを用いた端末制御装置の通知メッセージ検査機能を示す図である。図３を参照すれば、ユーザが受信を望まない可能性が高い代表的な類型のメッセージである、広告メッセージの場合、通知メッセージに「割引」、「セール」、「クーポン」等のショッピングに関する用語が含まれる場合が多いことが分かる。このように、ユーザが受信を望まない類型のメッセージに主に含まれている文字列を参考して定義された１つ以上の既設定された文字列に基づき、制御部１３０は通知メッセージの出力要請に前記既設定された文字列の中で既設定された数以上の文字列が含まれる場合、ユーザ端末１０が前記通知メッセージの出力要請に対応する通知メッセージを出力しないように制御することができる。前記既設定された数は１になり得るが、それよりも大きい自然数もなり得る。また、既設定された文字列はユーザの必要に応じて変更されることができる。このような通知メッセージ検査機能を通じて、ユーザは望まない通知メッセージを遮断することができ、必ず必要なメッセージのみを効果的に確認することができるので、端末使用にあたっての便宜性を高めることができる。
【００５６】
図４は本発明の一実施例による通知メッセージを用いた端末制御装置のＵＲＬ検査機能を示す図である。図４を参照すれば、通知メッセージに特定のウェブページを指すＵＲＬ情報が含まれ得ることが分かる。このようなＵＲＬには、当該ＵＲＬに対応するウェブページに接続する場合、ユーザ端末１０が悪性コードによる被害を受ける可能性がある悪性ＵＲＬが含まれることがある。従って、本実施例においては、通知メッセージの出力要請にＵＲＬ情報が含まれた場合、制御部１３０はユーザ端末１０が前記ＵＲＬに対する悪性要否を検査し、検査の結果を出力するように制御することができる。このような検査及び出力はメッセージの着信と同時に行われることができるが、ユーザが前記ＵＲＬに対応するウェブページに接続しようとする際に行われることができる。前記検査の結果出力の形態は、例えば、ユーザ端末１０のディスプレイを通じた警告メッセージの出力のような形態になり得る。このようなＵＲＬ検査機能により、ユーザはユーザ端末１０が悪性コードによる被害を予め防止することができる。
【００５７】
一方、互いに異なる通知メッセージの出力が何回か重なった場合、先に出力された通知メッセージは後に出力される通知メッセージによって出力状態が解除される可能性がある。このとき、ユーザは先に出力された通知メッセージを確認できないことがあり、先に出力された通知メッセージが重要なメッセージである場合、ユーザに困った状況が発生し得る。これにより、制御部１３０は通知メッセージの出力要請に重要な内容が含まれている場合、ユーザ端末１０が前記通知メッセージの出力要請に対応する通知メッセージを出力する状態を保持し続けるように制御することができる。重要な内容が含まれているか否かは、通知メッセージの出力要請に既設定された文字列が含まれているか否かによって判断することができる。このような機能により、ユーザが重要な通知メッセージを確認できないことで発生し得る不利益を防止することができる。
【００５８】
図５は本発明の一実施例による通知メッセージを用いた端末制御方法の手順を示す図である。但し、このような図５の端末制御方法は、本発明の一実施例に過ぎないため、図５によって本発明の思想が限定解釈されるのではなく、図１乃至図４と重複する部分についての説明は、省略することができる。
【００５９】
図５を参照して、本発明の一実施例による端末制御方法の各段階を説明すれば、以下の通りである。先ず、ユーザ端末１０に受信された通知メッセージの出力要請を検知することができる（Ｓ１００）。続いて、前記通知メッセージの出力要請に既設定された文字列が含まれているか否かを判断することができる（Ｓ２００）。本ステップにおいて、正規表現を用いて通知メッセージの出力要請から既設定された文字列を抽出することができる。続いて、前記判断の結果に基づいてユーザ端末１０が既設定された動作を行うように制御することができる（Ｓ３００）。前記ユーザ端末１０は通知メッセージの出力要請を受信し、通知メッセージの出力要請に基づいて通知メッセージを出力するように設定された装置である。
【００６０】
前記ユーザ端末１０が前記判断の結果に基づいた制御によって行える動作について説明すれば、以下の通りである。先ず、ユーザ端末１０は通知メッセージの出力要請に既設定された文字列が含まれる場合、ユーザ端末１０がロック状態になるようにすることができる。また、ユーザ端末１０は通知メッセージの出力要請に既設定された文字列と共に含まれているパスワードが既設定された方法によってユーザ端末１０に入力される場合、ロック状態が解除されるようにすることもできる。この過程において、ユーザ端末１０は前記パスワードが出力されないようにすることができ、連絡先情報が通知メッセージの出力要請に前記既設定された文字列と共に含まれている場合、ロック状態に設定されたことを前記連絡先に通知することもできる。
【００６１】
一方、ユーザ端末１０は、通知メッセージの出力要請に既設定された文字列が含まれた場合、ユーザ端末１０に通知メッセージを出力されないようにすることができる。また、ユーザ端末１０は通知メッセージの出力要請にＵＲＬ（ｕｎｉｆｏｒｍ  ｒｅｓｏｕｒｃｅ  ｌｏｃａｔｏｒ）情報が含まれていると判断された場合、前記ＵＲＬの悪性要否を検査し、前記検査の結果を出力することができる。そして、ユーザ端末１０は通知メッセージの出力要請に既設定された文字列が含まれた場合、前記通知メッセージを出力する状態を保持し続けることもできる。
【００６２】
本発明の一実施例による端末制御方法を通じて、上述の通りのような動作をユーザ端末１０が行うように制御することで、ユーザの便宜を図ることができる。
【００６３】
本発明に添付されたブロック図の各ブロックと、フローチャートの各ステップの組み合わせは、コンピュータ・プログラム・インストラクションにより実行されることもできる。これらのコンピュータ・プログラム・インストラクションは、汎用コンピュータ、特殊用コンピュータ又はその他プログラム可能なデータプロセッシング装置のプロセッサに搭載されることができるので、コンピュータ又はその他プログラム可能なデータプロセッサ装置のプロセッサによって行われるそのインストラクションがフロック図の各ブロック又はフローチャートの各ステップで説明された機能を行う手段を生成する。これらのコンピュータ・プログラム・インストラクションは、特定方式で機能を具現するために、コンピュータ又はその他プログラム可能なデータプロセッシング装置を指向できるコンピュータに利用可能なメモリ又はコンピュータで読み取り可能なメモリに格納されることも可能なので、該コンピュータで利用可能なメモリ又はコンピュータで読み取り可能なメモリに格納されたインストラクションは、ブロック図の各ブロック又はフローチャートの各ステップで説明された機能を行うインストラクション手段を含む製造物を生産することも可能である。コンピュータ・プログラム・インストラクションは、コンピュータ又はその他プログラム可能なデータプロセッシング装置上に搭載されることも可能なので、コンピュータ又はその他プログラム可能なデータプロセッシング装置上で一連の動作ステップが行われるためのコンピュータで行われるプロセスを生成し、コンピュータ又はその他プログラム可能なデータプロセッシング装置を遂行するインストラクションは、ブロック図の各ブロック及びフローチャートの各ステップで説明された機能を実行するためのステップを提供することも可能である。
【００６４】
また、各ブロック又は各ステップは、特定された論理的な機能を実行するための１つ以上の実行可能なインストラクションを含むモジュール、セグメント又はコードの一部を示すことができる。また、幾つかの代替実施形態ではブロック又はステップで言及された機能が順序から外れて発生することも可能であることに注目しなければならない。例えば、相次いで図示されている２つのブロック又はステップは、実際に実質的に同時に行われることも可能であり、又はそのブロック又はステップが時には該当する機能によって逆順に行われることも可能である。
【００６５】
以上の説明は、本発明の技術思想を例示的に説明したものに過ぎず、本発明が属する技術分野における通常の知識を持つ者であれば、本発明の本質的特性から逸脱しない範囲内で多様な修正及び変形が可能であろう。したがって、本発明に開示された実施例は、本発明の技術思想を限定するためのものではなく説明するためのものであって、このような実施例によって本発明の技術思想の範囲が限定されることではない。本発明の保護範囲は、以下の特許請求の範囲により解釈されるべきであり、それと同等な範囲内にある全ての技術思想は、本発明の権利範囲に含まれるものと解釈せねばならない
【符号の説明】
【００６６】
１０        ユーザ端末
１００      端末制御装置
１１０      検知部
１２０      分析部
１３０      制御部
【図１】
2019506783.tif 000003
【図２Ａ】
2019506783.tif 000004
【図２Ｂ】
2019506783.tif 000005
【図３】
2019506783.tif 000006
【図４】
2019506783.tif 000007
【図５】
2019506783.tif 000008
【国際調査報告】
2019506783.tif 000009
2019506783.tif 000010
2019506783.tif 000011
2019506783.tif 000012